(57)【要約】【課題】設置が容易で、浴槽水を効率よく温泉水化することができ、さらに源石の取出しが容易な、ろ過・循環式人工温泉装置の提供。【解決手段】水を温泉水化する温泉機構部３０上に、水の循環機構部２０を配置して一体に構成することにより、ろ過・循環式人工温泉装置１を浴槽の縁上に設置するだけで水を温泉水化することができるので、設置工事が簡素化されて設置費用や工期を縮減することができる。設置が容易であるので、家庭用の既存の入浴設備に容易に適用可能である。温泉源石５０をカートリッジ３１Ａ〜３１Ｃに充填するので、カートリッジ毎に温泉源石５０を交換することができ、温泉源石５０の交換作業が容易となりメンテナンス性が向上する。各カートリッジ３１Ａ〜３１Ｃを直列に接続することにより、水が温泉源石５０と接触する時間、接触する距離を長く確保することができ、水を効率よく温泉水化することができる。【選択図】図３
0003125606.tif 000002
【実用新案登録請求の範囲】
【請求項１】
水を温泉水化して浴槽に向けて供給する温泉機構部と、
浴槽内の水を吸い込み、前記温泉機構部に供給するための循環ポンプを備えた循環機構部と、
から構成された、ろ過・循環式人工温泉装置において、
前記温泉機構部の上部位置に、前記循環機構部を配置し、双方を一体に構成したことを特徴とする、ろ過・循環式人工温泉装置。
【請求項２】
前記循環機構部は、水を殺菌する殺菌装置および水をろ過するろ過装置付き除毛器のうち少なくともいずれかを備えることを特徴とする請求項１に記載の、ろ過・循環式人工温泉装置。
【請求項３】
前記温泉機構部は、温泉の源石またはこれに類する温泉素材が充填されたカートリッジを着脱可能に備え、
該カートリッジに水を通すことによって、水を温泉水化することを特徴とする請求項１または２に記載の、ろ過・循環式人工温泉装置。
【請求項４】
前記カートリッジは、複数備えられ、
該複数のカートリッジは、水の流れに対して直列に接続され、前記温泉機構部に供給された水はすべての前記カートリッジを順次通って温泉水化された後、浴槽に向けて供給されることを特徴とする請求項３に記載の、ろ過・循環式人工温泉装置。
【請求項５】
前記温泉の源石は、北海道長万部町「二股温泉」のアルカリ性の湯の花・石灰華を用いることを特徴とする請求項３または４に記載の、ろ過・循環式人工温泉装置。
【請求項６】
浴槽の縁上に載置可能に形成されていることを特徴とする請求項１から５のいずれか１に記載の、ろ過・循環式人工温泉装置。
【請求項７】
浴槽内の水の温度調節を行う温度維持管理部を備えることを特徴とする請求項１から６のいずれか１に記載の、ろ過・循環式人工温泉装置。
【考案の詳細な説明】
【技術分野】
【０００１】
本考案は、風呂、特に家庭用の風呂の浴槽水を温泉水化する、ろ過・循環式人工温泉装置に関する。
【背景技術】
【０００２】
従来、浴槽の水を人工的に温泉水化するための循環式人工温泉装置として、例えば特許文献１に記載されたものがある。
これは浴室の外部に設置された室外機と、浴室内に備えられた浴槽と、浴槽の縁上に設置された室内機と、室外機と室内機とをつなぐ吐出側配管と、室外機と浴槽とをつなぐ吸入側配管より構成されている。
室内機内には温泉水の基となる湯の花などの温泉源石が充填され、室外機から供給された水を温泉源石の充填された部屋を通過させることによって温泉源石中のミネラル分を溶解させて水を温泉水化する。温泉水化された水は、浴槽内に向けて流出される。
【０００３】
室外機は、浴槽内の水を室外機、室内機、浴槽内の順で循環させるためのポンプを備えており、この室外機のポンプの作動によって、浴槽内の水が、吸入側配管より吸入されて室外機に送られ、室外機から吐出側配管を介して浴室内に設置された室内機に供給され、さらに室内機より浴槽内に流出される。
また室外機には、水を殺菌するための殺菌装置と、水中の髪の毛などを除去するろ過装置付き除毛器が備えられている。
【特許文献１】特許第２５２８４２３号
【考案の開示】
【考案が解決しようとする課題】
【０００４】
しかしながら、従来の装置では、水を温泉水化する室内機と、水を循環させるためのポンプや殺菌装置などが備えられた室外機とが別体で構成されているため、設置工事に手間と費用がかかり、設置スペースの確保が困難であるといった問題があった。また温泉源石と水とが接触している時間や距離が長いほどミネラル分の溶解度が高まるが、従来のものは温泉源石と水とが接触している時間や距離が長いとはいえず、内蔵している温泉源石によって効率よく水の温泉水化を行うことが不十分であった。さらに、従来の室内機は、内部に形成された温泉源石室内に、塊状の温泉源石が充填されているだけであり、温泉源石の交換、洗浄時には温泉源石室内の上方の開口から１つ１つ温泉源石を取り出す必要があり、温泉源石の取り出し作業が極めて不便であるといった問題があった。
【課題を解決するための手段】
【０００５】
本考案はこのような問題点に鑑み、設置が容易であり、浴槽水を効率よく温泉水化することができ、温泉源石の取り出しが容易な、ろ過・循環式人工温泉装置を提供することを目的とする。
そのため本考案は、水を温泉水化する温泉機構部の上部位置に循環機構部を配置して、双方を一体に構成し、循環機構部内に水を循環させるための循環ポンプ、水をろ過し水中の髪の毛を除去する除毛器、水を殺菌する殺菌装置を備えるものとした。
【０００６】
また温泉機構部に、温泉の源石を充填したカートリッジを備え、該カートリッジに水を通すことによって水を温泉水化すると共に、複数のカートリッジを直列に接続して、すべてのカートリッジに順次水を通過させるものとした。
さらにカートリッジ内に充填する温泉の源石として、北海道長万部町「二股温泉」のアルカリ性の湯の花・石灰華またはこれに類する麦飯石および鉱石等の温泉素材を用いるものとした。
また、ろ過・循環式人工温泉装置を浴槽の縁上に載置可能な形状に形成し、さらに温度維持管理部を備えて浴槽内の水の温度維持を可能とした。
【考案の効果】
【０００７】
本考案によれば、家庭用あるいは業務用の浴槽において、温泉機構部の上方位置に水の循環機構部を配置して双方を一体に構成したことにより、設置現場にて循環機構部と温泉機構部とをつなぐ配管等を敷設する必要がなく、浴槽の縁上に載置するだけでよいので、ろ過・循環式人工温泉装置の設置工事を簡素化することができ、設置費用や工期を抑えることができる。
また水をろ過し、かつ水中の髪の毛を除去する除毛器や、水の殺菌を行う殺菌装置を備えたので、きれいな水を浴槽に供給することができる。
【０００８】
さらにカートリッジに温泉の源石またはこれに類する鉱石、水活性化物質等の温泉素材を充填し、カートリッジを着脱可能としたので、温泉源石またはこれに類する温泉素材の交換をカートリッジ毎に行うことができ、交換作業が容易となる。
またカートリッジを直列に接続して水を通すことにより、水と源石またはこれに類する温泉素材との接触時間、接触距離を長く確保することができ、少ない量であっても効率よく水を温泉水化することができる。
温泉の源石として、北海道長万部町「二股温泉」のアルカリ性の湯の花・石灰華を用いたので、温泉の源石から溶解した酸等によって機器を腐食させることがない。
さらに、温度維持管理部を備えることにより、浴槽内の水の温度維持が可能となる。
【考案を実施するための最良の形態】
【０００９】
次に本考案の実施の形態を実施例により説明する。
図１に、ろ過・循環式人工温泉装置を浴槽の縁上に設置した状態を示す。
浴槽３の上辺の縁上にろ過・循環式人工温泉装置１が設置される。
ろ過・循環式人工温泉装置１からは、浴槽３の縁辺に沿ってろ過・循環式人工温泉装置１が設置された側に対して反対側方向に向かって吸水側配管２が伸び、さらに吸水側配管２の端部が浴槽３の底部に進入して先端に吸入孔２Ａを構成している。
ろ過・循環式人工温泉装置１は浴槽３の底部に位置する吸入孔２Ａから浴槽内の水を吸い込み、吸い込んだ水を温泉水化して浴槽３内に流出する。
【００１０】
浴槽３の内壁面には温度維持装置５が取り付けられ、浴槽内の水を加温して温度の維持を行う。
ろ過・循環式人工温泉装置１と温度維持装置５には、制御装置６が接続されており、ろ過・循環式人工温泉装置１の起動、断続運転の制御、ろ過・循環式人工温泉装置１の内部に備えられた後述する殺菌装置の機能劣化の警告などを行ったり、温度維持装置５による水温の管理制御を行う。
【００１１】
次にろ過・循環式人工温泉装置１の詳細について説明する。
図２（ａ）にろ過・循環式人工温泉装置の正面を示し、図２（ｂ）に上面を示す。
ろ過・循環式人工温泉装置１は、縦方向に長い略直方体形状の本体ケース１０によって覆われ、正面には温泉水化された水を浴槽３内に流出するための流出部６０が取り付けられている。
ろ過・循環式人工温泉装置１の下方側面には、図１に示した吸水側配管２と接続される配管口１１が設けられている。
【００１２】
図３に、ろ過・循環式人工温泉装置の内部構造を示す。なお図３中、配管４１〜４４を単線で描いて簡略化してあるが、実際には中空の管である。
ろ過・循環式人工温泉装置１は、水の温泉水化を行う温泉機構部３０と、温泉機構部３０の上部に配置された循環機構部２０とより構成されている。
循環機構部２０は、ろ過機能を有するろ過装置付き除毛器２１と、浴槽３内の水をろ過・循環式人工温泉装置１と浴槽３内との間で循環させるための循環ポンプ２２と、通過する水を紫外線によって殺菌する殺菌装置２３とより構成される。
【００１３】
ろ過装置付き除毛器２１は、特に図４に示す断面のように、吸水口２５から吸い込んだ水を、濾材として充填してあるシリカサンド２７によってろ過および除毛を行い、排水口２６から排出する。
なお、配管口１１に配管４１の一端が接続され、配管４１の他端がろ過装置付き除毛器２１の吸水口２５と接続されている。
除毛器２１の排水口２６と循環ポンプ２２とが配管４２によって接続されている。
【００１４】
また循環ポンプ２２と殺菌装置２３とが配管４３によって接続されている。
これにより、配管口１１からろ過・循環式人工温泉装置１内に吸い込まれた水は、ろ過装置付き除毛器２１によってろ過され、さらに循環ポンプ２２によって殺菌装置２３に向けて圧送されて、殺菌装置２３によって殺菌される。
殺菌装置２３によって殺菌された水は、循環機構部２０の下方位置に配置された温泉機構部３０へ向けて、配管４４を介して供給される。
【００１５】
図３に示すように、温泉機構部３０には、水を温泉水化するカートリッジ３１Ａ、３１Ｂ、３１Ｃが並べて配備されている。
カートリッジ３１Ａ、３１Ｂ、３１Ｃはそれぞれ同一構造であるので、カートリッジ３１Ａを代表させて説明する。
図５（ａ）に、カートリッジの上面を示し、図５（ｂ）に、図５（ａ）におけるＡ−Ａ部断面を示す。また図５（ｃ）に、カートリッジの中心に配置される温泉源石隔離板の正面を示す。
カートリッジ３１Ａは、底部を有する円筒形状のカートリッジケース３２Ａと、カートリッジケース３２Ａの開口部を覆うカバー３３Ａと、カートリッジケース３２Ａ内を区画する温泉源石隔離板３４Ａとより構成される。
【００１６】
温泉源石隔離板３４Ａは、図５（ｂ）に示すようにカートリッジケース３２Ａの軸方向に沿って中央に配置され、カートリッジケース３２Ａ内を２室に区画する。
また、温泉源石隔離板３４Ａには、カートリッジケース３２Ａ内に取り付けられたときにカートリッジケース３２Ａの底部側となる端部近傍に、連通口３５Ａが設けられている。
なお連通口３５Ａには網が取り付けられており、水が通過するようになっている。
カートリッジケース３２Ａにはカバー３３Ａがされており、温泉源石隔離板３４Ａによって分離された一方の区画に取水口３８Ａ、他方の区画に排水口３９Ａが設けられている。
【００１７】
カートリッジケース３２Ａ内には、水を温泉水化させるための温泉源石またはこれに類する温泉素材５０が充填されている。
温泉源石またはこれに類する温泉素材５０としては、装置に腐食などの悪影響を与えることのない、例えば北海道長万部町「二股温泉」のアルカリ性の湯の花・石灰華を用いものとする。ここで、例えば群馬県草津温泉の湯の花は、酸性度が強く、金属を腐食させる恐れがあるため本装置には適さない。
【００１８】
取水口３８Ａのカートリッジケース３２Ａ内部側には散水器３７Ａが取り付けられ、取水口３８Ａから送り込まれた水をカートリッジケース３２Ａ内に拡散させて温泉源石またはこれに類する温泉素材５０に噴射する。この供給された水は、図５（ｂ）に示すように、温泉源石隔離板３４Ａによって分離されたカートリッジケース３２Ａ内の一方の区画（図５（ｂ）の左側）の温泉源石またはこれに類する温泉素材５０を伝い流下し、底部の温泉源石隔離板３４Ａに設けられた連通口３５Ａから、カートリッジケース３２Ａ内の他方の区画（図５（ｂ）の右側）に入り、排水口３９Ａに向かって上昇する。
【００１９】
水がカートリッジケース３２Ａ内を流れる際に、温泉源石５０が少しずつ溶解して水に溶け込むため、水が温泉水化される。
温泉源石隔離板３４Ａを設けてカートリッジケース３２Ａ内の空間を２つに分離することにより、水がカートリッジケース３２Ａ内を流れる経路を長く確保しており、水が温泉源石５０と接触する時間が長くなり、水を効率よく温泉水化することができる。
【００２０】
次に、温泉機構部３０内の配管構造について説明する。
図６は、温泉機構部３０を上方から見た図である。
カートリッジ３１Ａ、３１Ｂ、３１Ｃは、本体ケース１０内に並べて配置されている。
図３に示した循環機構部２０の殺菌装置２３の出力側に接続された配管４４は、図において左側に配置されているカートリッジ３１Ａの取水口３８Ａに接続されている。このカートリッジ３１Ａの排水口３９Ａと、右側のカートリッジ３１Ｃの取水口３８Ｃとが、配管４５によって接続され、このカートリッジ３１Ｃの排水口３９Ｃと、中央のカートリッジ３１Ｂの取水口３８Ｂとが配管４６によって接続されている。
カートリッジ３１Ｂの排水口３９Ｂには配管４７が接続され、カートリッジ３１Ｂより出力された水は配管４７を通じて流出部６０へ供給される。
【００２１】
このようにして、循環機構部２０より送られた水が、配管４４を通じてカートリッジ３１Ａに供給され、カートリッジ３１Ａに、さらにカートリッジ３１Ａから出力された水は配管４５を通じてカートリッジ３１Ｃに供給され、さらにカートリッジ３１Ｃから出力された水は配管４６を通じてカートリッジ３１Ｂに供給され、各カートリッジ内で温泉水化される。
最後のカートリッジ３１Ｂ内で温泉水化された水は、配管４７を通じて流出部６０へ供給され、浴槽内に流出される。
このように、各カートリッジ３１Ａ、３１Ｂ、３１Ｃを配管４４〜４７によって直列に接続して、すべてのカートリッジに水を通すことにより、水を効率よく温泉水化することができる。
【００２２】
次に、流出部６０の詳細について説明する。
図７に、図６におけるＢ−Ｂ部断面を示す。
流出部６０は、温泉水化された水を浴槽３に流出する網状パネル６１と、網状パネル６１よりもカートリッジ３１Ａ、３１Ｂ、３１Ｃ側に間隔を置いて配置された背面パネル６２との間に充填された温泉源石５５とより構成される。
温泉源石またはこれに類する温泉素材５５は、カートリッジ３１Ａ、３１Ｂ、３１Ｃ内に充填した温泉源石またはこれに類する温泉素材５０と同じ温泉源石を用いる。
【００２３】
流出部６０は、ボルト等によって本体ケース１０に着脱可能に取り付けられている。
配管４７は、流出部６０内の温泉源石またはこれに類する温泉素材５５の上部まで伸び、さらに温泉源石５５の上部に伸びる側の端部には、散水器６３が取り付けられている。
散水器６３を取り付けたことにより、流出部６０に供給された水を、温泉源石５５の上方より満遍なく散水することができる。
温泉源石５５の上方に散水された水は、自重によって網状パネル６１と背面パネル６２内を落下しながら、網状パネル６１より浴槽３に向けて滝状に流出する。
網状パネル６１と背面パネル６２との間を水が流下する際にも、温泉源石５５を通過することにより、水がさらに温泉水化される。
【００２４】
本実施例は以上のように構成され、水を温泉水化するための温泉機構部３０上に、水を循環させるための循環機構部２０を配置して、双方を一体に構成することにより、ろ過・循環式人工温泉装置１を浴槽の縁上に設置するだけで水を温泉水化することができるので、設置工事が簡素化されて設置費用や工期を縮減することができる。
また、ろ過・循環式人工温泉装置１を浴槽３の縁上に設置するだけでよいので、家庭用の既存の入浴設備に容易に適用可能である。
【００２５】
さらに、温泉源石５０をカートリッジ３１Ａ、３１Ｂ、３１Ｃに充填して、各カートリッジ３１Ａ、３１Ｃ、３１Ｂを直列に接続することにより、循環機構部２０から供給された水が温泉源石５０と接触する時間、接触する距離を長く確保することができ、水を効率よく温泉水化することができる。
さらにまた、超音波発生器を追加装備すれば、超音波により振動する温泉源石に水が接触していくことで、より水のろ過を高めることが可能となる。
さらにまた、磁性セラミックスを採用することで水分子集団を細分化し、よりろ過作用を高めることも可能である。
【００２６】
温泉源石５０をカートリッジ３１Ａ、３１Ｂ、３１Ｃに充填するものとしたので、カートリッジ毎に温泉源石５０を交換することができ、温泉源石５０の交換作業が容易となりメンテナンス性が向上する。
同様に、流出部６０内に充填された温泉源石５５においても、流出部６０が本体ケース１０より取り外し可能であるため、温泉源石５５の交換作業が容易となりメンテナンス性が向上する。
【００２７】
循環機構部２０に、ろ過装置付き除毛器２１および殺菌装置２３を備えることにより、水をろ過したり、水の殺菌を行うことができるので、きれいな水を浴槽３に供給することができる。
温泉の源石として、北海道長万部町「二股温泉」のアルカリ性の湯の花・石灰華を用いることにより、温泉の源石から溶解した強い酸等によって機器を腐食させることがない。
さらに、温度維持管理部を備えることにより、浴槽内の水の温度維持が可能となる。
【００２８】
なお、本実施例では、ろ過・循環式人工温泉装置１を浴槽３の１辺の縁上に設置するものとしたが、浴槽３の角部の縁上に、設置する構造であってもよい。
【図面の簡単な説明】
【００２９】
【図１】ろ過・循環式人工温泉装置を浴槽の縁上に設置した状態を示す図である。
【図２】ろ過・循環式人工温泉装置を示す図である。
【図３】ろ過・循環式人工温泉装置の内部構造を示す図である。
【図４】ろ過装置付き除毛器の断面を示す図である。
【図５】カートリッジを示す図である。
【図６】温泉機構部を上方から見た図である
【図７】図６におけるＢ−Ｂ部断面を示す図である。
【符号の説明】
【００３０】
１      ろ過・循環式人工温泉装置
２      吸水側配管
２Ａ    吸入孔
３      浴槽
５      温度維持装置
６      制御装置
１０    本体ケース
１１    配管口
２０    循環機構部
２１    ろ過装置付き除毛器
２２    循環ポンプ
２３    殺菌装置
２５    吸水口
２６    排水口
２７    シリカサンド
３０    温泉機構部
３１Ａ、３１Ｂ、３１Ｃ    カートリッジ
３２Ａ    カートリッジケース
３３Ａ    カバー
３４Ａ    源石隔離板
３５Ａ    連通孔
３７Ａ、６３    散水器
３８Ａ、３８Ｂ、３８Ｃ    取水口
３９Ａ、３９Ｂ、３９Ｃ    排水口
４１〜４７    配管
５０、５５    温泉源石
６０    流出部
６１    網状パネル
６２    背面パネル
【図１】
0003125606.tif 000003
【図２】
0003125606.tif 000004
【図３】
0003125606.tif 000005
【図４】
0003125606.tif 000006
【図５】
0003125606.tif 000007
【図６】
0003125606.tif 000008
【図７】
0003125606.tif 000009
【手続補正書】
【提出日】平成18年7月12日(2006.7.12)
【手続補正１】
【補正対象書類名】実用新案登録請求の範囲
【補正対象項目名】請求項５
【補正方法】変更
【補正の内容】
【請求項５】
前記温泉の源石は、北海道長万部町「二股ラヂウム温泉」のアルカリ性の湯の花・石灰華を用いることを特徴とする請求項３または４に記載の、ろ過・循環式人工温泉装置。
【手続補正２】
【補正対象書類名】明細書
【補正対象項目名】０００６
【補正方法】変更
【補正の内容】
【０００６】
また温泉機構部に、温泉の源石を充填したカートリッジを備え、該カートリッジに水を通すことによって水を温泉水化すると共に、複数のカートリッジを直列に接続して、すべてのカートリッジに順次水を通過させるものとした。
さらにカートリッジ内に充填する温泉の源石として、北海道長万部町「二股ラヂウム温泉」のアルカリ性の湯の花・石灰華またはこれに類する麦飯石および鉱石等の温泉素材を用いるものとした。
また、ろ過・循環式人工温泉装置を浴槽の縁上に載置可能な形状に形成し、さらに温度維持管理部を備えて浴槽内の水の温度維持を可能とした。
【手続補正３】
【補正対象書類名】明細書
【補正対象項目名】０００８
【補正方法】変更
【補正の内容】
【０００８】
さらにカートリッジに温泉の源石またはこれに類する鉱石、水活性化物質等の温泉素材を充填し、カートリッジを着脱可能としたので、温泉源石またはこれに類する温泉素材の交換をカートリッジ毎に行うことができ、交換作業が容易となる。
またカートリッジを直列に接続して水を通すことにより、水と源石またはこれに類する温泉素材との接触時間、接触距離を長く確保することができ、少ない量であっても効率よく水を温泉水化することができる。
温泉の源石として、北海道長万部町「二股ラヂウム温泉」のアルカリ性の湯の花・石灰華を用いたので、温泉の源石から溶解した酸等によって機器を腐食させることがない。
さらに、温度維持管理部を備えることにより、浴槽内の水の温度維持が可能となる。
【手続補正４】
【補正対象書類名】明細書
【補正対象項目名】００１７
【補正方法】変更
【補正の内容】
【００１７】
カートリッジケース３２Ａ内には、水を温泉水化させるための温泉源石またはこれに類する温泉素材５０が充填されている。
温泉源石またはこれに類する温泉素材５０としては、装置に腐食などの悪影響を与えることのない、例えば北海道長万部町「二股ラヂウム温泉」のアルカリ性の湯の花・石灰華を用いものとする。ここで、例えば群馬県草津温泉の湯の花は、酸性度が強く、金属を腐食させる恐れがあるため本装置には適さない。
【手続補正５】
【補正対象書類名】明細書
【補正対象項目名】００２７
【補正方法】変更
【補正の内容】
【００２７】
循環機構部２０に、ろ過装置付き除毛器２１および殺菌装置２３を備えることにより、水をろ過したり、水の殺菌を行うことができるので、きれいな水を浴槽３に供給することができる。
温泉の源石として、北海道長万部町「二股ラヂウム温泉」のアルカリ性の湯の花・石灰華を用いることにより、温泉の源石から溶解した強い酸等によって機器を腐食させることがない。
さらに、温度維持管理部を備えることにより、浴槽内の水の温度維持が可能となる。